(57)【特許請求の範囲】
【請求項１】
被塗装物を搬送する搬送手段と、
この搬送手段より上方に設けられ、前記被塗装物の第１の上面に当接して該第１の上面を塗布する第１のコ−ティングロ−ルと、
この第１のコ−ティングロ−ルの転移塗料を調節するドクタ−ロ−ルと、
前記第１のコ−ティングロ−ルに当接して前記第１のコ−ティングロ−ル上の塗料を転写する転写ロ−ルと、
この転写ロ−ルに当接すると共に、前記搬送手段より上方に設けられ、前記第１のコ−ティングロ−ルの回転軸より下方に回転軸を有し、前記被塗装物の第１の上面より低い第２の上面に当接して該第２の上面を塗布する第２のコ−ティングロ−ルとを有する
ことを特徴とする塗装装置。
【請求項２】
被塗装物を搬送する搬送手段と、
この搬送手段より上方に設けられ、前記被塗装物の第１の上面に当接して該第１の上面を塗布する第１のコ−ティングロ−ルと、
この第１のコ−ティングロ−ルの転移塗料を調節するドクタ−ロ−ルと、
前記第１のコ−ティングロ−ルに当接して前記第１のコ−ティングロ−ル上の塗料を転写すると共に、前記搬送手段より上方に設けられ、前記第１のコ−ティングロ−ルの回転軸より下方に回転軸を有し、前記被塗装物の第１の上面より低い第２の上面に当接して該第２の上面を塗布する第２のコ−ティングロ−ルとを有する
ことを特徴とする塗装装置。
【請求項３】
第２のコ−ティングロ−ルの外周面の硬度は第１のコ−ティングロ−ルの外周面の硬度より軟らかい
ことを特徴とする請求項１又は２記載の塗装装置。
【請求項４】
第１のコ−ティングロ−ルに対向する位置に設けられ、前記第１のコ−ティングロ−ル上の塗料を加熱する加熱手段を設ける
ことを特徴とする請求項１又は２記載の塗装装置。
【発明の詳細な説明】
【０００１】
本発明は、塗装装置に係り、特に、上面に段差を有する被塗装物の塗装に好適な塗装装置に関する。
【０００２】
【従来の技術】
従来より、ロ−ルで付着量を調整しながら塗料を塗布するロ−ルコ−タがある。
このロ−ルコ−タにあっては、被塗装物の上面がフラット形状であれば、支障を生じない。
【０００３】
【発明が解決しようとする課題】
しかしながら、図５に示すような上面に段差を有する被塗装物をロ−ルコ−タによって塗装しようとすると、コ−ティングロ−ル（塗布ロ−ル）が被塗装物の形状に追随しないために、塗装が良好に行われないという問題点が生じた。
本発明は、上述した問題点を除去するようにした塗装装置を提供するものである。
【０００４】
【課題を解決するための手段】
上記目的を達成するために、請求項１記載の塗装装置は、被塗装物を搬送する搬送手段と、この搬送手段より上方に設けられ、前記被塗装物の第１の上面に当接して該第１の上面を塗布する第１のコ−ティングロ−ルと、この第１のコ−ティングロ−ルの転移塗料を調節するドクタ−ロ−ルと、前記第１のコ−ティングロ−ルに当接して前記第１のコ−ティングロ−ル上の塗料を転写する転写ロ−ルと、この転写ロ−ルに当接すると共に、前記搬送手段より上方に設けられ、前記第１のコ−ティングロ−ルの回転軸より下方に回転軸を有し、前記被塗装物の第１の上面より低い第２の上面に当接して該第２の上面を塗布する第２のコ−ティングロ−ルとを有するものである。
【０００５】
また、請求項２記載の塗装装置は、被塗装物を搬送する搬送手段と、この搬送手段より上方に設けられ、前記被塗装物の第１の上面に当接して該第１の上面を塗布する第１のコ−ティングロ−ルと、この第１のコ−ティングロ−ルの転移塗料を調節するドクタ−ロ−ルと、前記第１のコ−ティングロ−ルに当接して前記第１のコ−ティングロ−ル上の塗料を転写すると共に、前記搬送手段より上方に設けられ、前記第１のコ−ティングロ−ルの回転軸より下方に回転軸を有し、前記被塗装物の第１の上面より低い第２の上面に当接して該第２の上面を塗布する第２のコ−ティングロ−ルとを有するものである。
【０００６】
また、請求項３記載の塗装装置は、請求項１又は２記載の塗装装置において、第２のコ−ティングロ−ルの外周面の硬度は第１のコ−ティングロ−ルの外周面の硬度より軟らかいものである。
【０００７】
また、請求項４記載の塗装装置は、請求項１又は２記載の塗装装置において、第１のコ−ティングロ−ルに対向する位置に設けられ、前記第１のコ−ティングロ−ル上の塗料を加熱する加熱手段を設けるものである。
【０００８】
【実施例】
本発明の一実施例の塗装装置を図面を参照して説明する。
図１乃至図５において、１は塗装装置で、塗装装置１は、概略的に、被塗装物２（例えば、家具を構成する部材、より具体的には、図５に示す段差Ｈを有する被塗装物２である。）を搬送する搬送手段Ａと、この搬送手段Ａにより搬送される被塗装物２に塗料を塗布するロ−ルコ−タＢと、このロ−ルコ−タＢにより塗布された塗料を均一化するブラッシング部Ｃとから構成されている。
【０００９】
搬送手段Ａは、例えば、被塗装物２の下面に当接し、駆動するロ−ルＡ１で構成されている。このロ−ルＡ１は図示しないモ−タ、減速機、チェ−ンＡ２等を介して駆動するようになっている。
【００１０】
また、ロ−ルコ−タＢは、図４に示すように、「ロ−ルで付着量を調整しながら塗料を塗布する」もので、搬送手段Ａより上方に設けられ、被塗装物２の第１の上面２ａに当接して該第１の上面２ａを塗布する第１のコ−ティングロ−ルＢ１（塗布ロ−ル、より具体的には、ゴム被覆ロ−ラ）と、この第１のコ−ティングロ−ルＢ１の転移塗料を調節するドクタ−ロ−ルＢ２と、第１のコ−ティングロ−ルＢ１に当接して第１のコ−ティングロ−ルＢ１上の塗料を転写する転写ロ−ルＢ３（例えば、ゴム被覆ロ−ラ）と、搬送手段Ａ（ロ−ルＡ１）より上方に設けられ、第１のコ−ティングロ−ルＢ１の回転軸Ｋ1 より下方に回転軸Ｋ2 を有し、被塗装物２の第１の上面２ａより低い（例えば、Ｈ）第２の上面２ｂに当接して該第２の上面２ｂを塗布する第２のコ−ティングロ−ルＢ４（塗布ロ−ル）とを備えている。
【００１１】
なお、第２のコ−ティングロ−ルＢ４の外周面の硬度は第１のコ−ティングロ−ルＢ１の外周面の硬度より軟らかく、例えば、第２のコ−ティングロ−ルＢ４は、スポンジゴム（海面状の多孔構造をもった加硫ゴム）で形成されている。
また、Ｂ５は、塗料Ｂ７を第１のコ−ティングロ−ルＢ１とドクタ−ロ−ルＢ２との間に滴下して供給する容器である。
また、10は、第１のコ−ティングロ−ルＢ１、ドクタ−ロ−ルＢ２、転写ロ−ルＢ３及び第２のコ−ティングロ−ルＢ４を支持する昇降体20を昇降させるハンドルで、ハンドル10の回転は、第１、第２の歯車30、40を介して伝達されるようになっている。
【００１２】
また、ブラッシング部Ｃは、例えば、回転ブラシで構成し、ロ−ルコ−タＢで塗布された被塗装物２上の塗料を均一化するようにしている。
【００１３】
従って、図１の矢印方向から、被塗装物２を塗装装置１へ送り込むと、被塗装物２は搬送手段Ａによりロ−ルコ−タＢへと搬送される。
ロ−ルコ−タＢでは、例えば、第１のコ−ティングロ−ルＢ１は、時計回りに駆動して回転（ドクタ−ロ−ルＢ２は反時計回りに回転）し、第１のコ−ティングロ−ルＢ１とドクタ−ロ−ルＢ２とで塗布量を制御する。制御は、例えば、例えば、第１のコ−ティングロ−ルＢ１とドクタ−ロ−ルＢ２（第２のコ−ティングロ−ルＢ４は、例えば、従動ロ−ルである。）との接触圧を調整することにより行う。
【００１４】
その結果、第１のコ−ティングロ−ルＢ１に塗料が転移し、第１のコ−ティングロ−ルＢ１は被塗装物２の第１の上面２ａに当接して第１の上面２ａを塗布することとなる。
また、第２のコ−ティングロ−ルＢ４には、第１のコ−ティングロ−ルＢ１上の塗料が転写ロ−ルＢ３を介して転移し、第２のコ−ティングロ−ルＢ４は被塗装物２の第１の上面２ａより低い第２の上面２ｂに当接して第２の上面２ｂを塗布することとなる。
また、第２のコ−ティングロ−ルＢ４の回転軸Ｋ2 は、第１のコ−ティングロ−ルＢ１の回転軸Ｋ1 より下方に位置し、第２のコ−ティングロ−ルＢ４は被塗装物２の第１の上面２ａより低い第２の上面２ｂに当接すると共に、第２のコ−ティングロ−ルＢ４の外周面の硬度は第１のコ−ティングロ−ルＢ１の外周面の硬度より軟らかいため、第２のコ−ティングロ−ルＢ４の外周面を被塗装物２の第１の上面２ａより低い位置にある第２の上面２ｂのコ−ナ−形状に追随させて良好に塗布することができる。
なお、軟らかい第２のコ−ティングロ−ルＢ４への塗料の塗布量を直接ドクタ−ロ−ルで調節しようとすれば、第２のコ−ティングロ−ルＢ４が軟らかい分、第２のコ−ティングロ−ルＢ４への塗料の塗布量の制御が困難であるが、本実施例のように、柔らかい第２のコ−ティングロ−ルＢ４の塗料の塗布量を転写ロ−ルＢ３を介在させることにより塗布量の制御が容易となる。
【００１５】
上述の実施例（図１乃至図５）では、第１のコ−ティングロ−ルＢ１と第２のコ−ティングロ−ルＢ４との間に転写ロ−ルＢ３を介在させたが、本発明にあっては、これに限らず、転写ロ−ルの機能を第２のコ−ティングロ−ルＢ４に持たせて、転写ロ−ルＢ３を省略しても良い。なお、本実施例においては（図６）、上述の実施例（図１乃至図５）と同一部分に同一符号を付して、一部その説明を省略している。
【００１６】
即ち、塗装装置１は、図６に示すように、搬送手段（図示せず）より上方に設けられ、被塗装物２の第１の上面２ａに当接して該第１の上面２ａを塗布する第１のコ−ティングロ−ルＢ１と、この第１のコ−ティングロ−ルＢ１の転移塗料を調節するドクタ−ロ−ルＢ２と、第１のコ−ティングロ−ルＢ１に当接して第１のコ−ティングロ−ルＢ１上の塗料を転写すると共に、搬送手段（図示せず）より上方に設けられ、第１のコ−ティングロ−ルＢ１の回転軸Ｋ1 より下方に回転軸Ｋ2 を有し、被塗装物２の第１の上面２ａより低い第２の上面２ｂに当接して該第２の上面２ｂを塗布する第２のコ−ティングロ−ルＢ４とを有している。
【００１７】
従って、図６の矢印方向から、被塗装物２を塗装装置１へ送り込むと、被塗装物２は搬送手段（図示せず）によりロ−ルコ−タＢへと搬送される。
ロ−ルコ−タＢでは、例えば、第１のコ−ティングロ−ルＢ１は、時計回りに駆動して回転（ドクタ−ロ−ルＢ２は反時計回りに回転）し、第１のコ−ティングロ−ルＢ１とドクタ−ロ−ルＢ２とで塗布量を制御する。制御は、例えば、例えば、第１のコ−ティングロ−ルＢ１とドクタ−ロ−ルＢ２との接触圧を調整することにより行う。
【００１８】
その結果、第１のコ−ティングロ−ルＢ１に塗料が転移し、第１のコ−ティングロ−ルＢ１は被塗装物２の第１の上面２ａに当接して第１の上面２ａを塗布することとなる。
また、第２のコ−ティングロ−ルＢ４（第２のコ−ティングロ−ルＢ４は、従動ロ−ルでも良いが、望ましくは、駆動ロ−ルとするのが良い。）には、第１のコ−ティングロ−ルＢ１上の塗料が転移し、第２のコ−ティングロ−ルＢ４は被塗装物２の第１の上面２ａより低い第２の上面２ｂに当接して第２の上面２ｂを塗布することとなる。
また、第２のコ−ティングロ−ルＢ４の回転軸Ｋ2 は、第１のコ−ティングロ−ルＢ１の回転軸Ｋ1 より下方に位置し、第２のコ−ティングロ−ルＢ４は被塗物２の第１の上面２ａより低い第２の上面２ｂに当接すると共に、第２のコ−ティングロ−ルＢ４の外周面の硬度は第１のコ−ティングロ−ルＢ１の外周面の硬度より軟らかいため、第２のコ−ティングロ−ルＢ４の外周面を被塗装物２の第１の上面２ａより低い位置にある第２の上面２ｂのコ−ナ−形状に追随させて良好に塗布することができる。
【００１９】
なお、図６に示すように、第１のコ−ティングロ−ルＢ１に対向する位置に設けられ、第１のコ−ティングロ−ルＢ１上の塗料を加熱する加熱手段Ｈ（図６記載と同様な加熱手段Ｈを図１乃至図５記載の塗装装置１にも適用できるものである。）、例えば、ヒ−タで、第１のコ−ティングロ−ルＢ１の表面上の温度がセンサＳにより、６０℃〜７０℃になるように調節制御するようにしても良い。
このように被塗装物２へ塗布する手前において、塗料の温度を高めることは。被塗装物２への塗料の乾燥が促進されると共に、被塗装物２への塗料の密着性が良好となる。
【００２０】
【発明の効果】
請求項１記載の塗装装置によれば、被塗装物の第１の上面に第１のコ−ティングロ−ルを、第１の上面より低い第２の上面に第２のコ−ティングロ−ルを、それぞれ当接させ、第２のコ−ティングロ−ルには、第１のコ−ティングロ−ル上の塗料を転写ロ−ルを介して転移させることができるため、上面に段差を有する被塗装物の塗装を良好に行うことができる。
【００２１】
また、請求項２記載の塗装装置によれば、被塗装物の第１の上面に第１のコ−ティングロ−ルを、第１の上面より低い第２の上面に第２のコ−ティングロ−ルを、それぞれ当接させ、第２のコ−ティングロ−ルには、第１のコ−ティングロ−ル上の塗料を転移させることができるため、上面に段差を有する被塗装物の塗装を良好に行うことができる。
【００２２】
また、請求項３記載の塗装装置によれば、前述した請求項１又は２記載の発明の効果に加え、第２のコ−ティングロ−ルの回転軸は、第１のコ−ティングロ−ルのより下方に回転軸を有し、第２のコ−ティングロ−ルは被塗装物の第１の上面より低い第２の上面に当接すると共に、第２のコ−ティングロ−ルの外周面の硬度は第１のコ−ティングロ−ルの外周面の硬度より軟らかいため、第２のコ−ティングロ−ルの外周面を被塗装物の第１の上面より低い位置にある第２の上面のコ−ナ−形状に追随させ易い。
なお、特に、請求項１に従属するものにあっては、柔らかい第２のコ−ティングロ−ルへの塗料の塗布量を転写ロ−ルを介在させることにより均一化することができる。軟らかい第２のコ−ティングロ−ルへの塗料の塗布量を直接ドクタ−ロ−ルで調節しようとすれば、第２のコ−ティングロ−ルが軟らかい分、第２のコ−ティングロ−ルへの塗料の塗布量の制御が困難である。
【００２３】
また、請求項４記載の塗装装置によれば、前述した請求項１又は２記載の発明の効果に加え、第１のコ−ティングロ−ルに対向する位置に加熱手段を設け、この加熱手段により第１のコ−ティングロ−ル上の塗料を加熱するため、被塗装物への塗料の乾燥を促進させることができる。
【図面の簡単な説明】
【図１】図１は、本発明の一実施例の塗装装置の概略的正面図である。
【図２】図２は、図１の塗装装置の概略的側面図である。
【図３】図３は、図１のＸ−Ｘ線による概略的断面図である。
【図４】図４は、本発明の要部の概略的断面図である。
【図５】図５は、被塗装物の概略的斜視図である。
【図６】図６は、本発明の他の実施例の塗装装置の概略的断面図である。
【符号の説明】
１      塗装装置
２      被塗装物
２ａ    第１の上面
Ａ      搬送手段
Ｂ１    第１のコ−ティングロ−ル
Ｂ２    ドクタ−ロ−ル
Ｂ３    転写ロ−ル
Ｂ４    第２のコ−ティングロ−ル
【図１】
0004759178.tif 000002
【図２】
0004759178.tif 000003
【図３】
0004759178.tif 000004
【図４】
0004759178.tif 000005
【図５】
0004759178.tif 000006
【図６】
0004759178.tif 000007